(57)【要約】【課題】製造が容易で、且つ、電線導体の鎖錠状態が目視により確認し得るジョイントボックスの提供。【解決手段】両端に設けた電線導体差込溝と連続して電線鎖錠部収納室と表示部材収納室を長手方向に複数平行に設け、表示部材収納室の側壁と隔壁との間に導体差込溝を形成してなる器台内に、両端部に鎖錠バネを嵌装した電線鎖錠部を設け、接続すべき導体相互を中間接続導体により接続した導体と、先端上面を上方に立ち上げその先端を前方に突出させて電線鎖錠部の上面に当接する突起を設けた表示部と、電線鎖錠部内に嵌入する突起を設け、後端面に設けた有底のスプリング嵌装孔にコイルスプリングの先端部を嵌装した表示部材を収納した。【選択図】  図５
2007095642.tif 000002
【特許請求の範囲】
【請求項１】
器台（１）の両端に設けた電線導体差込溝（２）と連続して電線鎖錠部収納室（３）と表示部材収納室（４）を長手方向に複数並行に設け、表示部材収納室（４）の側壁（６）と隔壁（７）との間に導体差込溝（５）を形成し、該器台（１）に設けた電線鎖錠部収納室（３）及び導体差込溝（５）内に、両端部に鎖錠バネ（１３）を嵌装した電線鎖錠部（１１）を設け、接続すべき導体相互を中間接続導体（１５）により接続した複数条の導体（１０）を夫々収納し、器台（１）に設けた表示部材収納室（４）内に、台座（２１）の先端上面を上方に立ち上げその先端を前方に突出させて電線鎖錠部（１１）の上面に当接する突起（２３）を設けた表示部（２２）と、台座（２１）の先端面に電線鎖錠部（１１）内に嵌入する突起（２４）を設けると共に、台座（２１）の後端面に穿設した有底のスプリング嵌装孔（２５）にコイルスプリング（２６）の先端部を嵌装した複数個の表示部材（２０）を夫々収納し，蓋体（３０）に表示部材（２０）に設けた表示部（２２）が臨む確認窓口（３２）を設けたことを特徴とするジョイントボックス。
【請求項２】
３心導体の中央に位置する表示部材収納室（４）の長さを他の表示部材収納室（４）の長さより多少後退させたことを特徴とする請求項１記載のジョイントボックス。
【発明の詳細な説明】
【技術分野】
【０００１】  本発明は天井や床面等の屋内配線に使用するジョイントボックスに関するものである。
【背景技術】
【０００２】  従来のジョイントボックスは図９及び図１０に示すように、両端に鎖錠バネ５２を嵌装した電線鎖錠部５１を設けた複数条の導体５０を、器台４０に設けた複数条の導体収納溝４１内に収納すると共に、接続すべき導体相互を中間接続導体５３により接続し、蓋体６０に設けた解錠釦嵌装口６１内に嵌装した解錠釦６５により、前記鎖錠バネ５２により鎖錠された電線導体Ｃを解錠するように構成されていた。しかしながら、上記ジョイントボックスにおいては、電線鎖錠部５１内に差込接続された電線導体Ｃが鎖錠バネ５２により確実に鎖錠されたか否かを確認し得ないために、不完全接続により電線導体Ｃが発熱したり、使用中に電線導体Ｃが抜け出る等の惧れがあった。【０００３】  上記問題点を解決する手段として図１１に示すように、器台４０に設けた導体収納溝４１内に収納される導体５０内に、一対の電線挿入確認駒４２ａ、４２ａをコイルスプリング４２ｂにより連結した表示部材４２を摺動自在に嵌装すると共に、蓋体６０に表示部材確認窓孔６２を設けて、電線導体が確実に鎖錠されたか否かを確認し得るように構成されたジョイントボックスが知られている。【０００４】  また、図１２に示すように電線導体が完全に鎖錠された時点で、蓋体７０に設けた表示孔７１から上方に突出していた確認棒７２が蓋体７０内に嵌入するように構成されたジョイントボックスが知られている。
【特許文献】特開２００３−３０８９２９号公報
【発明の開示】
【発明が解決しようとする課題】
【０００５】  しかしながら、図１１に示す従来のジョイントボックスにおいては、一対の電線挿入確認駒４２ａ、４２ａ間をコイルスプリング４２ｂで連結した表示部材４２を導体５０内に収納する際、両電線挿入確認駒４２ａ、４２ａにより両方向からコイルスプリング４２ｂを押し縮めて導体５０内に収納しなければならないために、コイルスプリング４２ｂの中央部に撓みが生じその反発力により表示部材４２が導体５０から飛び出したり、電線挿入確認駒４２ａが飛ばされる等、作業性が極めて悪いという問題点があった。【０００６】  また、図１２に示すジョイントボックス（特開２００３−３０８９２９号公報参照）においては、蓋体７０から外方に確認棒７２が突出しているために、機械的外力により確認棒７２が損傷し役目をなさない等の問題点があった。【０００７】  本発明は従来の問題点を解決するためになされたもので、製造が容易で、且つ、電線導体の差込状態が目視により極めて容易に確認し得るジョイントボックスを提供することを目的とする。
【課題を解決するための手段】
【０００８】  本発明は、器台１の両端に設けた電線導体差込溝２と連続して電線鎖錠部収納室３と表示部材収納室４を長手方向に複数平行に設け、表示部材収納室４の側壁６と隔壁７との間に導体差込溝５を形成し、該器台１に設けた電線鎖錠部収納室３及び導体差込溝５内に、両端部に鎖錠バネ１３を嵌装した電線鎖錠部１１を設け、接続すべき導体相互を中間接続導体１５により接続した複数条の導体１０を夫々収納し、器台１に設けた表示部材収納室４内に、台座２１の先端上面を上方に立ち上げその先端を前方に突出させて電線鎖錠部１１の上面に当接する突起２３を設けた表示部２２と、台座２１の先端面に電線鎖錠部１１内に嵌入する突起２４を設けると共に、台座２１の後端面に穿設した有底のスプリング嵌装孔２５にコイルスプリング２６の先端部を嵌装した複数個の表示部材２０を夫々収納し、蓋体３０に表示部材２０に設けた表示部２２が臨む確認窓口３２を設けてジョイントボックスを構成したものである。【０００９】  ３心導体の中央に位置する表示部材収納室４の長さを他の表示部材収納室の長さより多少後退させ、３心の電線導体全てが完全に鎖錠されるようにジョイントボックスを構成した。
【発明の効果】
【００１０】  器台１に設けた電線鎖錠部収納室３及び導体差込溝５及び表示部材収納室４内に、導体１０及び表示部材２０を順次収納し、器台１上に確認窓口３２を設けた蓋体３０を取り付けるだけの極めて簡単な作業でジョイントボックスを製造し得るばかりでなく、電線導体Ｃが電線鎖錠部１１に完全に鎖錠されたか否かを目視により確認し得る。【００１１】  また、３心導体を夫々電線導体差込溝２の位置に合わせて折り曲げた際、その中央に位置する電線導体Ｃの長さが他の電線導体Ｃの長さより多少長くなる。この状態で電線導体Ｃが表示部材収納室４内に差し込まれると、中央に位置する表示部材収納室４内に収納された表示部材２０を押圧するコイルスプリング２６の撓み代がなくなり、それ以上中央の電線導体Ｃを差し込むことが出来ない。このことから、他の電線導体Ｃが完全に鎖錠されない惧れがあるが、中央に位置する電線導体Ｃが差し込まれる表示部材収納室４の長さを他の表示部材収納室４の長さより多少後退させコイルスプリング２６の撓み代を確保することにより、全ての電線導体Ｃを確実に鎖錠することが出来る。
【発明を実施するための最良の形態】
【００１２】  以下、本発明を実施するための最良の形態を図面により説明する。
【実施例１】
【００１３】  図１は本発明の全体図を示す斜視図で、図において１は器台、３０は蓋体、３１は蓋体３０に設けられた解錠釦嵌装口、３２は後述する表示部材２０に設けた表示部２２が臨む確認窓口、３５は前記解錠釦嵌装口３１に上下動自在に嵌装した解錠釦で、該解錠釦３５は後述する鎖錠バネ１３を押し下げ、鎖錠バネ１３により鎖錠された電線導体Ｃを解錠するものである。【００１４】  図２は器台の内部構造を示す平面図で、１は器台、２は電線導体差込溝、３は該電線導体差込溝２が開口する電線鎖錠部収納室、４は該電線鎖錠部収納室３と連続して設けられた表示部材収納室、５は表示部材収納室４の隔壁７と側壁６との間に形成された導体差込溝である。【００１５】  図３は導体及び表示部材を示す斜視図で、１０は導電性金属板からなる導体、１１は導体１０の両端部を略コ状に折り曲げ形成された電線鎖錠部、１２は中間接続導体１５（図５参照）の取付座である。１３は略Ｓ字状に折り曲げ形成されたバネ材からなる鎖錠バネで、該鎖錠バネ１３は前記導体１０に折り曲げ形成された電線鎖錠部１１内に嵌装され、該鎖錠バネ１３と前記電線鎖錠部１１との間で電線導体Ｃを鎖錠するものである。【００１６】  ２０は表示部材で、該表示部材２０は台座２１の上面先端部を上方に立ち上げその先端を前方に突出させて前記導体１０に折り曲げ形成した電線鎖錠部１１の上面に当接する突起２３を形成した表示部２２と、その下方に前記電線鎖錠部１１内に嵌入する突起２４を設け、台座２１の後端面には有底のスプリング嵌装孔２５が穿設されている。２６はコイルスプリングで、該コイルスプリング２６の先端部は前記台座２１に穿設したスプリング嵌装孔２５内に嵌装されている。【００１７】  図４は蓋体と解錠釦を示す一部欠截斜視図で、３０は蓋体、３１は蓋体３０の上面に設けられた解錠釦嵌装口、３２は前記表示部材２０に設けた表示部２２が臨む確認窓口である。【００１８】  なお、蓋体３０に確認窓口３２を設ける代わりに、蓋体３０を透明樹脂で成形し、その上面又は下面に確認窓口を設けた有色のシート等でマスキングして蓋体３０を構成しても良いものである。【００１９】  ３５は蓋体３０に設けた解錠釦嵌装口３１内に上下動自在に嵌装される解錠釦で、該解錠釦３５は押圧板３６の下面に前述した鎖錠バネ１３を押圧する突起３７が設けられ、該突起３７の上面３７ａは押圧板３６より外方に突出し、前記蓋体３０に設けた解錠釦嵌装口３１内に下方から嵌合させた際、突起上面３７ａが解錠釦嵌装口３１の下面口縁に当接し抜け止めされる。【００２０】  図５は組み立て手順を示す要部分解斜視図で、先ず、接続すべき導体１０相互を中間接続導体１５により加締め付け等により電気的に接続しておく。次いで、電線鎖錠部１１内に鎖錠バネ１３を嵌装した導体１０を、器台１に設けた電線鎖錠部収納室３及び導体差込溝５内に収納する。【００２１】  次いで、器台１に設けた電線鎖錠部収納室３と連設した表示部材収納室４内に、台座２１の先端部を上方に立ち上げその先端部を前方に突出させ前記導体１０に設けた電線鎖錠部１１の上面に当接する突起２３を設けた表示部２２と、台座２１の前面に電線鎖錠部１１内に嵌入する突起２４を設けると共に、台座２１の後端面に穿設したスプリング嵌装孔２５内にコイルスプリング２６の先端部を嵌装した表示部材２０を、コイルスプリング２６の端面を隔壁７に押し当てて圧縮し収納する。この際、表示部材２０はコイルスプリング２６のバネ力により前方に押圧され、表示部材２０に設けた突起２３の底面が電線鎖錠部１１の上面に当接し、その下方に設けた突起２４は電線鎖錠部１１内に嵌入し位置決めされる。【００２２】  最終的に、解錠釦３５を鎖錠バネ１３に位置させ蓋体３０を器台１上に螺子止め等により取り付けるだけの極めて簡単な作業でジョイントボックスを組み立てし得る。【００２３】  図６及び図７は表示部材の動作説明図で、電線導体Ｃが差し込み接続される前段階においては、表示部材２０はコイルスプリング２６のバネ力により前方に押圧され、表示部材２０に設けた突起２３の底面が電線鎖錠部１１の上面に当接し、その下方に設けた突起２４は電線鎖錠部１１内に嵌入している。【００２４】  次いで、電線導体Ｃが電線鎖錠部１１内に差し込まれると、その先端が表示部材２０に設けた突起２４に当接して表示部材２０はコイルスプリング２６のバネ力に抗して後退する。電線導体Ｃが電線鎖錠部１１と鎖錠バネ１３とにより完全に鎖錠された時点で、表示部材２０に形成した表示部２２が蓋体３０に設けた確認窓口３２に臨む。従って、電線導体Ｃが確実に鎖錠されたか否かを目視により確認することが出来る。【００２５】  而して、鎖錠された電線導体Ｃを解錠釦３５を押圧して鎖錠バネ１３をそのバネ力に抗して押し下げて引き抜いた際には、表示部材２０はコイルスプリング２６の反発バネ力により元の状態に復帰する。
【実施例２】
【００２６】  図８は本発明の第２の実施の形態を示す要部拡大平面図で、この実施の形態においては、３心の電線導体Ｃのうち中央に位置する電線導体Ｃが差し込まれる表示部材収納室４の長さを他の表示部材収納室４の長さより多少後退させてジョイントボックスを構成したものである。【００２７】  即ち、３心の電線導体Ｃを器台１に設けた電線導体差込溝２の位置に合わせて折り曲げると、中央に位置する電線導体Ｃの長さが他の電線導体Ｃの長さより多少長くなる。この状態で電線導体Ｃが表示部材収納室４内に差し込まれると、中央に位置する表示部材収納室４内に収納された表示部材２０を押圧するコイルスプリング２６の撓み代がなくなり、それ以上中央部の電線導体Ｃを差し込むことが出来ない。このことから、他の電線導体Ｃが完全に鎖錠されない惧れがあるが、中央に位置する電線導体Ｃが差し込まれる表示部材収納室４の長さを他の表示部材収納室４の長さより多少後退させコイルスプリング２６の撓み代を確保することにより、全ての電線導体Ｃを確実に鎖錠することが出来る。【００２８】  本発明によれば上述したように、器台１に設けた電線鎖錠部収納室３及び導体差込溝５及び表示部材収納室４内に、導体１０及び表示部材２０を順次収納し、器台１上に確認窓口３２を設けた蓋体３０を取り付けるだけの極めて簡単な作業でジョイントボックスを製造し得るばかりでなく、電線導体Ｃが電線鎖錠部１１に完全に鎖錠されたか否かを目視により確認し得る。【００２９】  また、３心導体を夫々電線導体差込溝２の位置に合わせて折り曲げた際、その中央に位置する電線導体Ｃの長さが他の電線導体Ｃの長さより多少長くなる。この状態で電線導体Ｃが表示部材収納室４内に差し込まれると、中央に位置する表示部材収納室４内に収納された表示部材２０を押圧するコイルスプリング２６の撓み代がなくなり、それ以上中央部の電線導体Ｃを差し込むことが出来ず、他の電線導体Ｃが完全に鎖錠されない惧れがあるが、中央に位置する電線導体Ｃが差し込まれる表示部材収納室４の長さを他の表示部材収納室４の長さより多少後退させコイルスプリング２６の撓み代を確保することにより、全ての電線導体Ｃを確実に鎖錠することが出来る。
【図面の簡単な説明】
【００３０】
【図１】  本発明の全体図を示す斜視図
【図２】  器台の内部構造を示す平面図
【図３】  導体及び表示部材を示す斜視図
【図４】  蓋体と解錠釦を示す一部欠截斜視図
【図５】  組み立て手順を示す要部分解斜視図
【図６】  表示部材の動作を示す断面図
【図７】  表示部材の動作を示す断面図
【図８】  本発明の第２の実施の形態を示す要部拡大平面図
【図９】  従来のジョイントボックスの内部構造を示す平面図
【図１０】  従来のジョイントボックスの解錠釦と蓋体を示す一部欠截斜視図
【図１１】  従来のジョイントボックスを示す要部断面図
【図１２】  従来のジョイントボックスを示す要部断面図
【符号の説明】
【００３０】    １  器台                                  ２  電線導体差込溝
３  電線鎖錠部収納室                      ４  表示部材収納室
５  導体差込溝                            ６  側壁
７  隔壁                                １０  導体
１１  電線鎖錠部                          １３  鎖錠バネ
１５  中間接続導体                        ２０  表示部材
２１  台座                                ２２  表示部
２３  突起                                ２４  突起
２５  スプリング嵌装孔                    ２６  コイルスプリング
３０  蓋体                                ３２  確認窓口
【図１】
2007095642.tif 000003
【図２】
2007095642.tif 000004
【図３】
2007095642.tif 000005
【図４】
2007095642.tif 000006
【図５】
2007095642.tif 000007
【図６】
2007095642.tif 000008
【図７】
2007095642.tif 000009
【図８】
2007095642.tif 000010
【図９】
2007095642.tif 000011
【図１０】
2007095642.tif 000012
【図１１】
2007095642.tif 000013
【図１２】
2007095642.tif 000014